(57)【要約】【課題】簡略な構造で、欠損部位を発生させないエキスパンションジョイントを提供する。【解決手段】躯体間隙４を本体カバー５で被覆し、本体カバー５の躯体間隙長手方向の両端部側裏方に欠損カバー６を配してあり、本体カバー５を、一方の躯体２に、該躯体２とともに躯体間隙長手方向に変動するように取付け、欠損カバー６を、他方の躯体３に、該躯体３とともに躯体間隙長手方向に変動するように取付けてあるエキスパンションジョイント１とした。【選択図】図１
2008240510.tif 000002
【特許請求の範囲】
【請求項１】
躯体間隙を被覆するエキスパンションジョイントにおいて、躯体間隙を本体カバーで被覆し、本体カバーの躯体間隙長手方向の両端部側裏方に欠損カバーを配してあり、本体カバーを、一方の躯体に、該躯体とともに躯体間隙長手方向に変動するように取付け、欠損カバーを、他方の躯体に、該躯体とともに躯体間隙長手方向に変動するように取付けてあるエキスパンションジョイント。
【請求項２】
本体カバーの躯体間隙長手方向の中間部に裏方に突出したズレ防止部を設け、前記一方の躯体に該ズレ防止部が納まる溝部を設けてある請求項１に記載のエキスパンションジョイント。
【請求項３】
本体カバーを、前記他方の躯体に、躯体間隙長手方向及び躯体間隙奥行き方向にスライド可能、かつ、躯体間隙長手方向を回転軸として回転可能に取付けてあり、欠損カバーを、前記他方の躯体に、躯体間隙長手方向を回転軸として回転可能に取付けてある請求項１又は２に記載のエキスパンションジョイント。
【請求項４】
二つの略矩形板の欠損カバーを、躯体間隙上に、一方の躯体に載せつつ他方の躯体に該躯体とともに躯体間隙長手方向に変動するように適宜間隔で取付け、略矩形板の本体カバーを、両欠損カバー上に、前記一方の躯体に、該躯体に設けた溝部に本体カバーの裏方に突出したズレ防止部が納まるように載せつつ前記他方の躯体に躯体間隙長手方向にスライド可能に取付けてある床用エキスパンションジョイント。
【発明の詳細な説明】
【技術分野】
【０００１】
本発明は、建造物の躯体間隙に設置するエキスパンションジョイントに関する。
【背景技術】
【０００２】
従来のエキスパンションジョイントとしては、例えば、図１２（Ａ）に示すように、両躯体８１，８２の躯体間隙８３を被覆するエキスパンションジョイント８があり、これは床面を形成するカバー材８４と、伸縮自在の内壁８５とを備えている。カバー材８４は、一端部を、躯体８１の床面上に載せ、他端部を、躯体８２に躯体間隙長手方向にスライド可能に連結してあり、内壁８５は、両端部を、それぞれ両躯体８１，８２に回転自在に連結し、躯体の変動に対応することができるようにしてある。
【０００３】
このようなエキスパンションジョイント８は、躯体８１と躯体８２とが躯体間隙長手方向にずれる変動をした場合、図１２（Ｂ）に示すように、カバー材８４と内壁８５との間に間隙８３が露出して欠損部位αができ、仮に人がそこにいた場合、足などを挟み込むおそれがあった。
【０００４】
そこで、下記特許文献１に示すエキスパンションジョイントが開発され、これは、カバー板の外側に略三角形状の欠損カバーを設け、躯体が躯体間隙長手方向にずれる変動をした場合でも、欠損部位を覆い隠せるようにしてある（特許文献１の図５，８など参照）。
【０００５】
【特許文献１】特開２０００−１２０１８６号公報
【発明の開示】
【発明が解決しようとする課題】
【０００６】
上記特許文献１に記載のエキスパンションジョイントは、欠損部位が表れないものであるが、両躯体が躯体間隙幅方向に近づく変動をした場合、欠損カバーがカバー板内に納まる構造としてあるため、構造が複雑で組み立て難く、コストがかかるものであった。
【０００７】
そこで、本発明の目的は、簡略な構造で、欠損部位を生じさせないエキスパンションジョイントを提供することにある。
【課題を解決するための手段】
【０００８】
本発明のエキスパンションジョイントは、躯体間隙を被覆するエキスパンションジョイントにおいて、躯体間隙を本体カバーで被覆し、本体カバーの躯体間隙長手方向の両端部側裏方に欠損カバーを配し、本体カバーを、一方の躯体に、該躯体とともに躯体間隙長手方向に変動するように取付け、欠損カバーを、他方の躯体に、該躯体とともに躯体間隙長手方向に変動するように取付けてあることを特徴とするものである。
【０００９】
このような構成とすることにより、両躯体が間隙長手方向にずれる変動をした際、本体カバーは一方の躯体とともに動き、欠損カバーは他方の躯体とともに動くので、本体カバーの裏方にある欠損カバーが表れ、従来のように欠損部位が発生することがない。
【００１０】
上記エキスパンションジョイントは、本体カバーの躯体間隙長手方向の中間部に裏方に突出したズレ防止部を設け、前記一方の躯体に該ズレ防止部が納まる溝部を設けるのが好ましい。
【００１１】
このような構成とすることにより、ズレ防止部が溝部に引っ掛かるため、本体カバーが、一方の躯体とともに躯体間隙長手方向に変動することができる。
【００１２】
上記エキスパンションジョイントは、本体カバーを、前記他方の躯体に、躯体間隙長手方向及び躯体間隙奥行き方向にスライド可能、かつ、躯体間隙長手方向を回転軸として回転可能に連結してあり、欠損カバーを、前記他方の躯体に、躯体間隙長手方向を回転軸として回転可能に連結することが好ましい。
【００１３】
このような構成とすることにより、両躯体のあらゆる方向の変動に追随しやすいものとなる。
【００１４】
上記エキスパンションジョイントは、より具体的には、二つの略矩形板の欠損カバーを、躯体間隙上に、一方の躯体に載せつつ他方の躯体に該躯体とともに躯体間隙長手方向に変動するように、適宜間隔で取付け、略矩形板の本体カバーを、両欠損カバー上に、前記一方の躯体に、該躯体に設けた溝部に本体カバーの裏方に突出したズレ防止部が納まるように載せつつ、前記他方の躯体に躯体間隙長手方向にスライド可能に取付けてある床用エキスパンションジョイントとすることができる。
【発明を実施するための最良の形態】
【００１５】
以下、本発明の一実施形態を、図面を用いて説明する。
図１は本発明の一実施形態のエキスパンションジョイントの概略分解斜視図、図２は図１のエキスパンションジョイントの上面図、図３は図１のエキスパンションジョイントの構成部品である本体カバーを裏面側から俯瞰した図、図４は図２のＸ−Ｘ断面図、図５は図２のＹ−Ｙ断面図、図６は図２のＺ−Ｚ断面図、図７は図１のエキスパンションジョイントの連結部付近の拡大断面図である。
【００１６】
本発明の一実施形態のエキスパンションジョイント１は、図１〜６に示すように、両躯体２，３の間隙４を被覆して床面を形成するものであり、本体カバー５及び欠損カバー６を主な構成として備えている。
【００１７】
本体カバー５は、図１，２に示すように、躯体２，３の床面２３，３３の幅と略同一の幅とした矩形状の板材であり、金属板上に塩化ビニルシートを被覆した二層構造としてあり、躯体間隙幅方向の一端部を、一方の躯体２の縁部を凹ました凹部２１に載せ、他端部を、他方の躯体３に連結部７を介して取り付けてあり、図４，５に示すように、静止時に躯体２，３の床面２３，３３と略同一面となるように配してある。
本体カバー５の一端部側先端には、図３〜５に示すように、鋭角状に折り曲げた板材の先端カバー５１が設けてある。
【００１８】
本体カバー５の裏面には、図３，４に示すように、躯体間隙長手方向の中間部付近に、２本のアングル材を並行に配し、躯体間隙幅方向に沿い突出したズレ防止部５２が設けてあり、ズレ防止部５２は、図６に示すように、凹部２１の躯体間隙長手方向の中間部付近に設けた溝部２２に納まるようにしてある。これにより、本体カバー５は、躯体間隙長手方向には、一方の躯体２の動きとともに変動する。ズレ防止部５２の躯体間隙幅方向の先端部は、先端カバー５１と連なるように傾斜状に形成してあり、躯体２，３が躯体間隙幅方向に近づく変動をした際、本体カバー５が躯体２の床面２３に乗り上がるようにしてあ
る。
また、本体カバー５の裏面には、図３に示すように、欠損カバー６と略同じ厚さの長尺矩形状の板材５３が躯体間隙幅方向に沿い適宜間隔で設けてある。
【００１９】
連結部７は、図７に示すように、嵌合部７１と、被嵌合部７２と、受け部７３とを備えている。
嵌合部７１は、本体カバー５の躯体間隙長手方向に沿い下方に突出させてあり、先端部に断面略半円状に膨出させた膨出部７４を設けてある。
被嵌合部７２は、断面略矩形状の長尺材であり、上面に膨出部７４を、躯体間隙長手方向にスライド可能、かつ、躯体間隙長手方向を回転軸として回転可能に嵌め合わせできるリップ溝７５を形成してある。
被嵌合部７２の下面には、適宜間隔で下方に突出した連結棒７６が設けてあり、これは、長ボルトで形成してある。
【００２０】
受け部７３は、上方を開口させ、被嵌合部７２が納まる納まり部７７を設けた断面略コの字状の長尺材であり、他方の躯体３の間隙面３１に設置した断面Ｌ字状の固定材３２の上側に固定してある。
納まり部７７の底面には、躯体間隙長手方向に適宜間隔で孔が形成してあり、ここに連結棒７６を挿し込み、本体カバー５を躯体間隙奥行き方向にスライド可能に取付けできるとともに、連結棒７にナット７８を締結して、被嵌合部７２と受け部７３とが外れないようすることができる。
【００２１】
欠損カバー６は、図１に示すように、エキスパンションジョイント１の躯体間隙長手方向の可動量よりも若干幅広とした略矩形状の板材であり、本体カバー５の躯体間隙長手方向の両端部側の裏方に配し、躯体間隙幅方向の一端部を、一方の躯体２の凹部２１に載せ、他端部を、他方の躯体３に固定してある受け部７３の側面に丁番６１にて、躯体間隙長手方向を回転軸として回転可能に取付けてある。これにより、欠損カバー６は、躯体間隙長手方向には、他方の躯体３の動きとともに変動するようにしてある。
【００２２】
以下、上記エキスパンションジョイント１の動きを説明する。
躯体２，３が躯体間隙長手方向にずれる変動をした場合は、図８（Ａ），（Ｂ）に示すように、本体カバー５は、ズレ防止部５２が溝部２２に引っ掛かり、嵌合部７１と被嵌合部７２とが躯体間隙長手方向にスライドして、一方の躯体２とともに動く。欠損カバー６は、丁番６１で他方の躯体３に連結されているため、他方の躯体３とともに動く。この際、どちらかの欠損カバー６が本体カバー５の裏方から露出するため、欠損部位が生じることがない。
【００２３】
躯体２，３が躯体間隙幅方向に近づく変動をした場合は、図９（Ａ）に示すように、本体カバー５は、ズレ防止部５２が凹部２１から床面２３上に乗り上げ、嵌合部７１が回転し、傾斜状になりながら変動を吸収することができる。この際、ズレ防止部５２は溝部２２から完全に外れず、ズレ防止部５２の後端側は溝部２２に納まっているため、躯体２，３が躯体間隙幅方向に近づく変動及び躯体間隙長手方向の変動を同時にした場合でも、本体カバー５は、躯体間隙長手方向には躯体２とともに動くことができる。
また、欠損カバー６は、図９（Ｂ）に示すように、先端側が凹部２１から床面２３上に乗り上げ、丁番６１が回転し、本体カバー５の裏側で、傾斜状になりながら変動を吸収することができる。
【００２４】
躯体２，３が躯体間隙幅方向に離れる変動をした場合は、図示しないが、本体カバー５は、連結部７を介して他方の躯体３側に引かれ、凹部２１上をスライドして変動を吸収することができる。欠損カバー６は、丁番６１を介して他方の躯体３側に引かれ、凹部２１上をスライドして変動を吸収することができる。
【００２５】
躯体２，３が躯体間隙奥行き方向にずれる変動をした場合は、図示しないが、本体カバー５は、嵌合部７１が回転し、或いは、被嵌合部７２が躯体間隙奥行き方向にスライドして変動を吸収することができる。欠損カバー６は、丁番６１が回転して傾斜状になりながら変動を吸収することができる。
【００２６】
図１０，１１には他の実施形態が示されており、この形態と上記実施形態との主な相違点は、本体カバー５ａを、躯体間隙幅方向の一端部を一方の躯体２ａに全周方向に変位可能なバネを介して固定し、他端部を他方の躯体３ａ上にスライド可能に載せてあり、また、欠損カバー６ａを、躯体間隙長手方向の両端部に下方に突出するズレ防止部６１ａを設けた構成とし、躯体間隙幅方向の一端部を一方の躯体２ａに躯体間隙長手方向にスライド可能に固定し、他端部を他方の躯体３ａ上にズレ防止部６１ａを溝部３１ａに納めるようにして載せてある点である。
【００２７】
このような構成としても、本体カバー５ａは一方の躯体２ａとともに躯体間隙長手方向に変動し、欠損カバー６ａは他方の躯体３ａとともに躯体間隙長手方向に変動するので、躯体２ａ，３ａが躯体間隙長手方向にずれる変動をしても、欠損カバー６ａが本体カバー５ａの裏方から露出するため、欠損部位が生じることがない。
【００２８】
このように、本発明のエキスパンションジョイントは、躯体が躯体間隙長手方向にずれる変動をした場合に、本体カバーの裏側に欠損カバーを配してあるので、本体カバーが動いても欠損カバーが表れ、欠損部位が生じることがなく、この付近に人がいたとしても安全である。
【００２９】
上記実施形態の構成態様は、本発明を限定するものとして挙げたものではなく、技術目的を共通にするかぎり変更は可能であり、本発明はそのような変更を含むものである。
【図面の簡単な説明】
【００３０】
【図１】本発明の一実施形態のエキスパンションジョイントの概略分解斜視図である。
【図２】図１のエキスパンションジョイントの上面図である。
【図３】図１のエキスパンションジョイントの構成部品である本体カバーを裏面側から俯瞰した図である。
【図４】図２のＸ−Ｘ断面図である。
【図５】図２のＹ−Ｙ断面図である。
【図６】図２のＺ−Ｚ断面図である。
【図７】図１のエキスパンションジョイントの連結部付近の拡大断面図である。
【図８】図１のエキスパンションジョイントにおいて、両躯体が躯体間隙長手方向にずれる変動をした場合の動きを示した図である。
【図９】図１のエキスパンションジョイントにおいて、両躯体が躯体間隙幅方向に近づく変動をした場合の動きを示した図であり、（Ａ）はＸ−Ｘ断面部の動き、（Ｂ）はＹ−Ｙ断面部の動きを示した図である。
【図１０】本発明の他の実施形態のエキスパンションジョイントを示した概略縦断面図である。
【図１１】図１０のエキスパンションジョイントの概略横断面図である。
【図１２】従来のエキスパンションジョイントの一例を示した上面図であり、（Ａ）は躯体静止時、（Ｂ）は躯体変動時を示した図である。
【符号の説明】
【００３１】
１エキスパンションジョイント  ２躯体  ２１凹部  ２２溝部  ２３床面  ３躯体  ３１間隙面  ３２固定材  ３３床面  ４間隙  ５本体カバー  ５１先端カバー  ５２ズレ防止部  ５３板材  ６欠損カバー  ６１丁番  ７連結部  ７１嵌合部  ７２被嵌合部  ７３受け部  ７４膨頭部  ７５リップ溝  ７６連結膨  ７７納まり部  ７８ナット
【図１】
2008240510.tif 000003
【図２】
2008240510.tif 000004
【図３】
2008240510.tif 000005
【図４】
2008240510.tif 000006
【図５】
2008240510.tif 000007
【図６】
2008240510.tif 000008
【図７】
2008240510.tif 000009
【図８】
2008240510.tif 000010
【図９】
2008240510.tif 000011
【図１０】
2008240510.tif 000012
【図１１】
2008240510.tif 000013
【図１２】
2008240510.tif 000014